【事件の表示】
　特許第２９３２９８４号「パチンコ機」の請求項１及び２に係る特許に対する特許異議の申立てについて、次のとおり決定する。
【結　論】
　訂正を認める。
　特許第２９３２９８４号の請求項１に係る特許を維持する。
【理　由】
１．手続きの経緯
　本件特許第２９３２９８４号についての出願は、平成４年８月４日に出願した特願平４−２２９２３６号の一部を平成７年１０月１３日に新たな特許出願とし、平成１１年５月２８日にその発明について特許権の設定登録がなされた後、その特許に対し異議申立人町田彬より特許異議の申立てがなされ、取消理由を通知したところ平成年１２月８日３１に訂正請求がなされ、さらに取消理由を通知したところ平成１３年７月１８日に訂正請求がなされたものである。
　
２．訂正請求について
２-1． 訂正の内容
　特許権者が求めている訂正の内容は、特許明細書を平成１３年７月１８日付けの訂正明細書のとおりに訂正しようとするものである。すなわち、
（ａ）特許明細書における特許請求の範囲の【請求項１】に記載された「遊技盤には、少なくとも特定入賞口４５と始動入賞口５と大入賞器１１を備え、
　非特賞権利状態において遊技球が特定入賞口４５に入賞すると特賞権利状態が生起し、この特賞権利状態において遊技球が始動入賞口５に入賞すると大入賞器１１が遊技者にとって不利な状態から有利な状態に変化すると共に、大入賞器１１の開状態となる設定回数が終了するか、遊技球が特定入賞口４５に入賞すると特賞権利状態が消滅するように構成のパチンコ機であって、
　前記特定入賞口４５への入賞を阻止する権利消滅阻止手段を設け、
　この権利消滅阻止手段は、特賞権利状態においては特定入賞口４５への入賞を阻止すると共に、特賞権利状態が消滅すると特定入賞口４５への入賞を可能にすることを特徴とするパチンコ機。」を、
　「遊技盤には、少なくとも特定入賞口４５と始動入賞口５と大入賞器１１を備え、
　非特賞権利状態において遊技球が特定入賞口４５に入賞すると特賞権利状態が生起し、この特賞権利状態において遊技球が始動入賞口５に入賞すると大入賞器１１
が開状態になると共に、
終了するように
　前記特定入賞口４５への入賞を
阻止可能であると共に、１個の遊技球を載置可能である往復動する規制部材４６を設け、　前記規制部材４６は、特賞権利状態において、特定入賞口４５への入賞を阻止すると共に１個の遊技球を載置可能となり、　一方、特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能である
（ｂ）特許明細書における特許請求の範囲の【請求項２】を削除する。
（ｃ）特許明細書の段落【０００３】に記載された「特賞権利状態が消滅してしまう。」（本件特許公報第３欄２２行）を「特賞権利状態が終了してしまう。」と訂正する。
（ｄ）特許明細書の段落【０００４】に記載された「非特賞権利状態において遊技球が特定入賞口４５に入賞すると特賞権利状態が生起し、この特賞権利状態において遊技球が始動入賞口５に入賞すると大入賞器１１が遊技者にとって不利な状態から有利な状態に変化すると共に、大入賞器１１の開状態となる設定回数が終了するか、遊技球が特定入賞口４５に入賞すると特賞権利状態が消滅するように構成してあり、且つ、特定入賞口４５への入賞を阻止可能に設けた権利消滅阻止手段は、特賞権利状態においては特定入賞口４５への入賞を不能にすると共に、特賞権利状態が消滅すると特定入賞口４５への入賞を可能にする。」を、
「非特賞権利状態において遊技球が特定入賞口４５に入賞すると特賞権利状態が生起し、この特賞権利状態において遊技球が始動入賞口５に入賞すると大入賞器１１が
開状態になると共に、
終了する。
又、このパチンコ機には、特定入賞口４５への入賞を阻止可能であると共に、１個の遊技球を載置可能である往復動する規制部材４６が設けてある。　そして、規制部材４６は、特賞権利状態において、特定入賞口４５への入賞を阻止すると共に１個の遊技球を載置可能となり、一方、特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能である。
（ｅ）特許明細書の段落【０００５】に記載された「従って、遊技球が特定入賞口に入賞して特賞権利状態になると、権利消滅阻止手段によって、特定入賞口４５に入賞することによる特賞権利状態の消滅が阻止されるので、遊技球の狙いどころを遊技状態によって替える必要がない。」を、「従って、遊技球が特定入賞口４５に入賞して特賞権利状態になると、
規制部材４６は特定入賞口４５への入賞を阻止して特賞権利状態が終了しないようにすると共に、１個の遊技球を載置可能になる。　そして、特賞権利状態が終了後に、主検出器４２で規制部材４６に載置の遊技球を検出すると、直ちに、規制部材４６によって特定入賞口４５への入賞阻止を一時的に解除して、特定入賞口４５へ入賞させるので、連続して特賞権利状態の生起を可能であると共に、連続して特賞権利状態を生起させる遊技球を特定することができる。
（ｆ）特許明細書の段落【０００６】を削除する。
（ｇ）特許明細書の段落【００１２】に記載された「請求項１のパチンコ機によれば、特賞権利状態において、権利消滅阻止手段によって、特定入賞口４５への入賞を阻止されるので、遊技球の狙いどころを変える必要がなく遊技ができる。
　又、請求項２のパチンコ機は、特定入賞口４５への入賞が阻止可能であると共に、規制部材４６に載置の遊技球によって、再度、権利発生を可能にする。」を、「請求項１のパチンコ機によれば、特賞権利状態において、
規制部材４６は特定入賞口４５への入賞を阻止して特賞権利状態が終了しないようにするので遊技球の狙いどころを変える必要がなく遊技ができる。又、特賞権利状態において、規制部材４６によって、１個の遊技球を載置可能であり、特賞権利状態が終了した後に、主検出器４２を介して規制部材４６を一時的に解除するか否かの動作を行うので連続して特賞権利状態が生起可能で、遊技者により興趣の向上を図ることができると共に、連続して特賞権利状態を生起させる遊技球を特定することができる。
２-2．訂正の適否
　上記（ａ）の訂正は、特許査定時における請求項１の「権利消滅阻止手段」を、「１個の遊技球を載置可能である往復動する規制部材４６を設け、前記規制部材４６は、特賞権利状態において、特定入賞口４５への入賞を阻止すると共に１個の遊技球を載置可能となり、一方、特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能である」と、具体的な構成に限定するものであり、また、上記（ｂ）の訂正は請求項２を削除するものであるから、（ａ）及び（ｂ）の訂正は特許請求の範囲の減縮を目的とするものである。
　さらに、上記（ｃ）ないし（ｇ）の訂正は、発明の詳細な説明の記載を訂正後の特許請求の範囲の記載と整合させるためのものであるから、明りょうでない記載の釈明を目的とするものである。
　そして、（ａ）の訂正における具体的な構成は、特許明細書の段落【０００７】【０００８】【００１０】に記載されているので、上記（ａ）ないし（ｇ）の訂正は、願書に添付した明細書又は図面に記載した事項の範囲内においてするものであり、かつ、実質上特許請求の範囲を拡張し、又は変更するものではない。
２-3．むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
３-1．異議申立て理由の概要
　本件の請求項１及び２に係る発明は、下記の甲第１及び２号証に記載された発明に基いて当業者が容易に発明をすることができたものであるから、その特許は特許法第２９条第２項の規定に違反してされたものである。
　　　　　　　　　　　　　　　記
　甲第１号証：特開平１−２７４７８５号公報
　甲第２号証：特開平１−１３９０８５号公報
３-2．本件特許発明
　本件の請求項１に係る発明（以下、「本件発明」という）は、訂正後の特許明細書における特許請求の範囲の請求項１に記載されたとおりのものである（上記「２-1． 訂正の内容」の（ａ）参照）。
３-3．当審の判断
３-3-1．甲号証記載の発明
（ａ）甲第１号証（特開平１−２７４７８５号公報）には次の事項が記載されている。
（ａ-1）「遊技領域１０のほぼ中央には、第１の条件を成立させるための入賞球装置４０が配設されている。この入賞球装置４０は、特定通過口としての特定入賞口７７を有し、該特定入賞口７７に打玉が入賞すると、特定入賞玉検出器７９が作動して第１の条件が成立するように設定されている。なお、第１の条件を発生させるものとしての入賞球装置には、いろいろなものが考えられるが、第１図及び第２図には、後述する第１実施例に係る入賞球装置４０を図示したものを示した。
　入賞球装置４０の下方には、可変入賞球装置１１が配設されている。この可変入賞球装置１１は、その左右両側に始動入賞口１２ａ，１２ｂが形成され、該始動入賞口１２ａ，１２ｂに挟まれるようにして長方形状の開閉板１３が設けられている。始動入賞口１２ａ，１２ｂには，第２図に示されるように始動入賞玉検出器１４ａ，１４ｂが設けられ、開閉板１３には、その開閉を制御する開閉ソレノイド１５が設けられている。」（２頁右下欄９行〜３頁左上欄７行）、
（ａ-2）「しかして、上記した特定入賞口７７に打玉が入賞して特定遊技状態となっている期間中に、打玉が始動入賞口１２ａ，１２ｂに入賞すると、後述する制御回路基板３９に含まれるマイクロコンピュータ８５によって開閉ソレノイド１５が一定期間（例えば、１０秒経過するまで、あるいは１０カウント検出器１６が１０個の入賞玉を検出するまで）開閉板１３を開成するように制御する。そして、上記したような開閉板１３の一定期間の開成回数は、始動入賞口１２ａ，１２ｂに入賞する８個の打玉に対して有効とされているため、最高８回まで繰り返すことができるが、その８回の途中で打玉が再度上記特定入賞口７７に入賞したり、あるいは開閉板１３が７個目の開成を行う前に打玉が連続して始動入賞口１２ａ，１２ｂに８個入賞すると、その回又は次の回で開成状態が終了してしまうようになっている。したがって、開成回数が最高８回まで許容されているとしても、特定入賞口７７に入賞したり、あるいは始動入賞口１２ａ，１２ｂに８個目の打玉が入賞したり（ただし，７個目の打玉までは記憶されているので、８個目の玉が入賞しないかぎり特定遊技状態は、解消されない）した場合には、特定遊技状態は途中で解消されてしまうことになる。」（３頁左上欄１０行〜同頁右上欄１４行）、
（ａ-3）「前記後方誘導径路６２によって誘導された入賞玉が落下する入賞玉落下空間６３の下端には、後方から前方に向けて下り傾斜する玉転動板６４が設けられている。玉転動板６４には，第６図に示すように、逆さ「Ｕ」字状となるように傾斜部６５が形成され、該傾斜部６５で囲まれたところに半円形状の出没穴６６が穿設されている。一方、玉転動板６４の裏面に軸支される作動部材６６の先端部には、出没穴６６の形状と合致するような半円形状のストツパー部６８が突設され、該ストッパー部６８が出没穴６６から出没するようになっている。」（５頁右上欄１２行〜同頁左下欄３行）、
（ａ-4）「しかして、第４図及び第６図に示すようにストッパー部６８が玉転動板６４から没しているときには、後方誘導径路６２から落下した入賞玉は、玉転動板６４の中心を下方に向って流下し、傾斜部６５を昇ってそのまま特定入賞口７７に入賞して特定入賞玉検出器７９を作動させる可能性が高くなる。」（５頁右下欄１３〜１９行）、
（ａ-5）「逆に、第７図ないし第９図に示すようにストッパー部６８が玉転動板６４から突出しているときには、後方誘導径路６２から落下した入賞玉は、玉転動板６４の中心を下方に向って流下して傾斜部６５を昇るが、半円形状のストッパー部６８に停止させられて、その場で貯留される。しかし、その後、後方誘導径路６２から落下して玉転動板６４を流下し、傾斜部６５を昇った入賞玉は、ストッパー部６８で貯留されている入賞玉に衝突して、左右に振分けられ、通常入賞口７８ａ，７８ｂに誘導される可能性が高くなる。」（６頁左上欄２〜１３行）。
　上記記載によると、甲第１号証には、遊技盤には、少なくとも特定入賞口７７と始動入賞口１２ａ，１２ｂと開閉板１３を備え、非特賞権利状態において遊技球が特定入賞口７７に入賞すると特定遊技状態が生起し、この特定遊技状態において遊技球が始動入賞口１２ａに入賞すると開閉板１３が開状態になると共に、開閉板１３の開状態となる設定回数が終了するか、遊技球が特定入賞口７７に入賞すると特定遊技状態が終了するように構成のパチンコ機であって、前記特定入賞口７７への入賞を阻止可能であると共に、１個の遊技球を停止貯留可能である往復動するストッパー部６８を設け、前記ストッパー部６８は、特定遊技状態において、特定入賞口７７への入賞を阻止すると共に１個の遊技球を停止貯留可能であるパチンコ機が記載されていると認められる。
（ｂ）甲第２号証（特開平１−１３９０８５号公報）には次の事項が記載されている。
（ｂ-1）「前記特別入賞案内流路５６の下端開口部は、前記一般入賞口５７，５７を構成する左右に移動する変動部材５７ａ，５７ａの相互に接近したり離れたりする移動に伴い、それらの下板部により開閉されるようになつている。そして、その特別入賞案内流路５６の直下には、前面開口の第２特別入賞口Ｂが設けられ、その下縁にはその特別入賞口Ｂ中に特別入賞案内流路５６を介して流下する打球を比較的低い確率で特別入賞口Ｂ中に導く誘導片５８が手前側方向に向けて突設されている。」（４頁左上欄１８行〜同右上欄８行）、
（ｂ-2）「第３図には、前記変動入賞装置５の入賞空間５２中に設けられた一般入賞口５７，５７を構成する変動部材５７ａ，５７ａを相互に離接する方向へ移動させる動作機構図を示す。」（５頁左上欄４〜７行）。
３-3-2．対比・判断
　本件発明と上記甲第１号証記載の発明とを対比すると、甲第１号証記載の発明の「特定入賞口７７」が本件発明の「特定入賞口４５」に、同様に、「始動入賞口１２ａ，１２ｂ」が「始動入賞口５」に、「開閉板１３」が「大入賞器１１」に、「特定遊技状態」が「特賞権利状態」に、「ストツパー部６８」が「権利消滅阻止手段」に、それぞれ相当しており、両者は、
　遊技盤には、少なくとも特定入賞口と始動入賞口と大入賞器を備え、非特賞権利状態において遊技球が特定入賞口に入賞すると特賞権利状態が生起し、この特賞権利状態において遊技球が始動入賞口に入賞すると大入賞器が開状態になると共に、大入賞器の開状態となる設定回数が終了するか、遊技球が特定入賞口に入賞すると特賞権利状態が終了するように構成のパチンコ機であって、前記特定入賞口への入賞を阻止可能であると共に、１個の遊技球を載置可能である往復動する規制部材を設け、前記規制部材は、特賞権利状態において、特定入賞口への入賞を阻止すると共に１個の遊技球を載置可能となるパチンコ機で一致しているが、
　甲第１号証記載の発明は、本件発明の構成要件である「特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能」とする構成を備えていない。
　また、甲第２号証には、規制部材を往復動する構成が記載されているが、上記構成は記載されておらず、かつ、示唆されてもいない。
　そして、本件発明は特許明細書記載の効果を奏するものであるから、本件発明が上記甲第１及び２号証に記載された発明に基いて当業者が容易に発明をすることができたものとすることはできない。
３-4．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月１２日（２００１．１０．１２）
【訂正の要旨】
　特許第２９３２９８４号発明の明細書を本件訂正請求書に添付した訂正明細書のとおりに、すなわち、特許請求の範囲の減縮を目的として下記（ａ）及び（ｂ）のとおりに訂正し、明りょうでない記載の釈明を目的として下記（ｃ）ないし（ｇ）のとおりに訂正する。
（ａ）特許請求の範囲における【請求項１】に記載された「遊技盤には、少なくとも特定入賞口４５と始動入賞口５と大入賞器１１を備え、
　非特賞権利状態において遊技球が特定入賞口４５に入賞すると特賞権利状態が生起し、この特賞権利状態において遊技球が始動入賞口５に入賞すると大入賞器１１が遊技者にとって不利な状態から有利な状態に変化すると共に、大入賞器１１の開状態となる設定回数が終了するか、遊技球が特定入賞口４５に入賞すると特賞権利状態が消滅するように構成のパチンコ機であって、
　前記特定入賞口４５への入賞を阻止する権利消滅阻止手段を設け、
　この権利消滅阻止手段は、特賞権利状態においては特定入賞口４５への入賞を阻止すると共に、特賞権利状態が消滅すると特定入賞口４５への入賞を可能にすることを特徴とするパチンコ機。」を、
　「遊技盤には、少なくとも特定入賞口４５と始動入賞口５と大入賞器１１を備え、
　非特賞権利状態において遊技球が特定入賞口４５に入賞すると特賞権利状態が生起し、この特賞権利状態において遊技球が始動入賞口５に入賞すると大入賞器１１
が開状態になると共に、
終了するように
　前記特定入賞口４５への入賞を
阻止可能であると共に、１個の遊技球を載置可能である往復動する規制部材４６を設け、
　前記規制部材４６は、特賞権利状態において、特定入賞口４５への入賞を阻止すると共に１個の遊技球を載置可能となり、
　一方、特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能である
（ｂ）特許請求の範囲における【請求項２】を削除する。
（ｃ）特許明細書の段落【０００３】に記載された「特賞権利状態が消滅してしまう。」（本件特許公報第３欄２２行）を「特賞権利状態が終了してしまう。」と訂正する。
（ｄ）特許明細書の段落【０００４】に記載された「非特賞権利状態において遊技球が特定入賞口４５に入賞すると特賞権利状態が生起し、この特賞権利状態において遊技球が始動入賞口５に入賞すると大入賞器１１が遊技者にとって不利な状態から有利な状態に変化すると共に、大入賞器１１の開状態となる設定回数が終了するか、遊技球が特定入賞口４５に入賞すると特賞権利状態が消滅するように構成してあり、且つ、特定入賞口４５への入賞を阻止可能に設けた権利消滅阻止手段は、特賞権利状態においては特定入賞口４５への入賞を不能にすると共に、特賞権利状態が消滅すると特定入賞口４５への入賞を可能にする。」を、
「非特賞権利状態において遊技球が特定入賞口４５に入賞すると特賞権利状態が生起し、この特賞権利状態において遊技球が始動入賞口５に入賞すると大入賞器１１が
開状態になると共に、
終了する。
　
又、このパチンコ機には、特定入賞口４５への入賞を阻止可能であると共に、１個の遊技球を載置可能である往復動する規制部材４６が設けてある。
　そして、規制部材４６は、特賞権利状態において、特定入賞口４５への入賞を阻止すると共に１個の遊技球を載置可能となり、一方、特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能である。
（ｅ）特許明細書の段落【０００５】に記載された「従って、遊技球が特定入賞口に入賞して特賞権利状態になると、権利消滅阻止手段によって、特定入賞口４５に入賞することによる特賞権利状態の消滅が阻止されるので、遊技球の狙いどころを遊技状態によって替える必要がない。」を、「従って、遊技球が特定入賞口４５に入賞して特賞権利状態になると、
規制部材４６は特定入賞口４５への入賞を阻止して特賞権利状態が終了しないようにすると共に、１個の遊技球を載置可能になる。
　そして、特賞権利状態が終了後に、主検出器４２で規制部材４６に載置の遊技球を検出すると、直ちに、規制部材４６によって特定入賞口４５への入賞阻止を一時的に解除して、特定入賞口４５へ入賞させるので、連続して特賞権利状態の生起を可能であると共に、連続して特賞権利状態を生起させる遊技球を特定することができる。
（ｆ）特許明細書の段落【０００６】を削除する。
（５４）【発明の名称】
パチンコ機
（５７）【特許請求の範囲】
　【請求項１】　遊技盤には、少なくとも特定入賞口４５と始動入賞口５と大入賞器１１を備え、
　非特賞権利状態において遊技球が特定入賞口４５に入賞すると特賞権利状態が生起し、この特賞権利状態において遊技球が始動入賞口５に入賞すると大入賞器１１
が開状態になると共に、
終了するように
　前記特定入賞口４５への入賞を
阻止可能であると共に、１個の遊技球を載置可能である往復動する規制部材４６を設け、
　
前記規制部材４６は、特賞権利状態において、特定入賞口４５への入賞を阻止すると共に１個の遊技球を載置可能となり、
　一方、特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能である
【発明の詳細な説明】
　【０００１】
　【発明の属する技術分野】
　本発明は、パチンコ機に関し、より詳細には、所謂権利物のパチンコ機に関する。
　【０００２】
　【従来の技術】
　従来、所謂、権利物パチンコ機として、正面を示す図８に示すパチンコ機がある。遊技球が入賞口１に入賞すると図柄表示機２の図柄が変動を開始し、予め設定された図柄で停止した場合は、遊技球の受入を制限して排出する受入装置として、電動チューリップ３が設定時間開放し、電動チューリップを通過した遊技球はその下の複数の入賞口を持った振分装置４に入る。複数の入賞口が配設された振分装置４には、ある確率で入賞するように特定入賞口６が指定されていて、遊技球がその特定入賞口６に入ったときには、所謂、特賞権利状態中となる。一方、他の入賞器８は、一定周期（例えば１２秒）で回転している切欠部１０を持った回転体９で構成され、切欠部１０に納まった遊技球は回転体により始動入賞口５に入賞する。前記特賞権利状態中に、遊技球が始動入賞口５に入賞すると、大入賞と認定され、大入賞器１１が設定時間（例えば１０秒）あるいは設定個数（例えば１０個）まで、開放する。又、係る特賞権利状態中であれば、始動入賞口５に設定個数（例えば１６個）入賞する迄、大入賞器１１の開放を繰り返すことができる。
　【０００３】
　【発明が解決しようとする課題】
　しかしながら、特賞権利状態中であっても、遊技球が入賞口１に入賞して図柄表示機２の図柄が予め設定された図柄で停止した場合には、開放された電動チューリップ３を通過した遊技球は振分装置４に入って、特定入賞口６に遊技球が入る可能性が有る。特賞権利状態中に、この特定入賞口６に遊技球が入ると特賞権利状態
が終了してしまう。
　即ち、普通状態と特賞権利状態中とでは、遊技球の狙いどころを大幅に変化させなくてはならないのは煩わしく、又、特賞権利状態中に狙いどころを変えないとせっかくの特賞権利状態が終了する可能性があるという問題がある。
　そこで、本発明のパチンコ機は、遊技球の狙いどころを遊技状態によって変化させなくてもよい様にしたものである。
　【０００４】
　【課題を解決するための手段】
　請求項１のパチンコ機は、遊技盤には、少なくとも特定入賞口４５と始動入賞口５と大入賞器１１を備え、
　非特賞権利状態において遊技球が特定入賞口４５に入賞すると特賞権利状態が生起し、この特賞権利状態において遊技球が始動入賞口５に入賞すると大入賞器１１が
開状態になると共に、
終了する。
　
又、このパチンコ機には、特定入賞口４５への入賞を阻止可能であると共に、１個の遊技球を載置可能である往復動する規制部材４６が設けてある。
　
そして、規制部材４６は、特賞権利状態において、特定入賞口４５への入賞を阻止すると共に１個の遊技球を載置可能となり、一方、特賞権利状態が終了した後に、規制部材４６に載置の遊技球を主検出器４２で検出すると、直ちに、規制部材４６による特定入賞口４５への入賞阻止を一時的に解除して、載置状態の前記遊技球を特定入賞口４５に入賞させて、連続して特賞権利状態が生起可能である
　【０００５】
　【作用】
　従って、遊技球が特定入賞口４５に入賞して特賞権利状態になると、
規制部材４６は特定入賞口４５への入賞を阻止して特賞権利状態が終了しないようにすると共に、１個の遊技球を載置可能になる。
　そして、特賞権利状態が終了後に、主検出器４２で規制部材４６に載置の遊技球を検出すると、直ちに、規制部材４６によって特定入賞口４５への入賞阻止を一時的に解除して、特定入賞口４５へ入賞させるので、連続して特賞権利状態の生起を可能であると共に、連続して特賞権利状態を生起させる遊技球を特定することができる。
　【０００７】
　【実施例】
　本発明のパチンコ機を図を参照して説明する。尚、従来と同じ作用をなす部品には同じ符号を附す。
　図１は遊技盤の正面図であり、１は入賞口であって、２は入賞口１に遊技球が入ることによって、図柄が変動を開始し、所定時間に停止する図柄表示器である。又、その下部には遊技球の受入を制限する受入装置３として、電動チューリップ３が配設されていて、電動チューリップ３は前記図柄表示器２の停止した図柄が予め設定された図柄と一致したとき設定時間開状態となって遊技球の受入を容易になるように構成されている。尚、本実施例では、前記入賞口１、図柄表示器２、受入装置３で特別入賞器を構成している。又、４０は振分装置であって、正面図を図２に、側断面図（図２のＡ〜Ａ）を図３に示し、４１は前記電動チューリップ３を通過した遊技球Ｐを受入れる入口であって、該入口４１の垂下位置に遊技球Ｐを検出する主検出器４２が設置されている。尚、この主検出器４２は近接スイッチであって、遊技球の保持具４３を兼用している。又、振分装置４０の下部には、前記入口４１に直下する位置に特定入賞口４５と、その両端に入賞口４４が併設されていて、該特定入賞口４５の開閉をなす規制部材４６がバネ４８を介して電磁石４７に取り付けられていて、権利消滅手段を構成する。又、振分装置４０の下部には、大入賞のとき一定時間開状態を維持する大入賞器１１が設置されている。一方、電動チューリップ３の右側には、他の入賞器８が配設されている。この入賞器８は、切欠部１０を持った回転体９が一定周期（例えば１２秒）で回転しており、切欠部１０に納まった遊技球は回転体により始動入賞口５に入って入賞とされる。
　【０００８】
　次に、前記構成の作用について説明すると、常時（非特賞権利状態）は、振分装置４０の規制部材４６は電磁石４７が「ＯＦＦ」状態で、バネ４８の反力によって、図３に示すように特定入賞口４５の閉状態を維持している。係る状態で、遊技球が入賞口１に入ると、図柄表示器２の図柄が変動し、該図柄が予め設定された図柄と一致した以後は、受入装置３である電動式チューリップが一定時間開状態となって、遊技球を受け入れる。かかる電動式チューリップ３から排出された遊技球Ｐは、振分装置４０の入口４１から入球する。一方、権利消滅阻止手段を構成の規制部材４６によって特定入賞口４５が閉とされているため、前記遊技球Ｐａは図２、図３に示すように規制部材４６及び保持具４３で保持状態となると共に、規制部材４６の上部に設置された主検出器４２で検出される。係る検出器４２で遊技球Ｐａが検出されたときが、所謂、特賞権利状態中である。そして、他の遊技球が他の入賞器８に入って、即ち、遊技球が切欠部１０に納まって始動入賞口５に入賞したとき、大入賞とされ、大入賞器１１が設定時間（例えば１０秒間）或は設定個数（例えば１０個）入賞するまで作動して、遊技者にとって不利な状態から有利な状態に変化する。尚、この特賞権利状態中に、遊技球が再度、入賞口１に入り、図柄表示器２の図柄が変動し、該図柄が予め設定された図柄と一致して、電動式チューリップ３から排出された遊技球Ｐが振分装置４０の入口４１から入球した場合であっても、図２に示すように、保持具４３内に遊技球Ｐａが有るため、該遊技球は特定入賞口４５には入ることなく、入賞口４４へ排出される。即ち、特賞権利状態中には、再度、特定入賞口４５へは遊技球は入らない状態となる。その為、遊技者は、従来のように入賞口１に入らない様に注意して、他の箇所を狙い撃ちをする必要がなくなる。又、特賞権利状態中であれば、前記始動入賞口５に設定個数（例えば１６個）が入るまで、大入賞器１１が開状態を繰返し、設定された回数が終了すると、特賞権利状態でなくなり、前記規制部材４６が電磁石４７が一時的に「ＯＮ」となって図４に示すように特定入賞口４５を開状態とし、規制部材４６に載置の遊技球Ｐａは、特定入賞口４５に排出されてゲームを続行する。
　【０００９】
　次に、図５は振分装置４０の側断面を示し、図３とは、特定入賞口４５に入る遊技球Ｐを検知する副検出器５０が規制部材４６の下部であって特定入賞口４５の通路に設置してある。
　この様に、副検出器５０を規制部材４６の下部に設置した場合の作用について説明すると、振分装置４０の規制部材４６は電磁石４７が「ＯＦＦ」であるためバネ４８の弾発力によって、図５に示すように特定入賞口４５の閉状態を維持している。係る状態で、遊技球が入賞口１に入ると、図柄表示器２の図柄が変動し、該図柄が予め設定された図柄と一致した以後は、受入装置３である電動式チューリップが一定時間開状態となって、遊技球を受け入れる。かかる電動式チューリップ３から排出された遊技球は、振分装置４０の入口４１から入球する。一方、規制部材４６によって特定入賞口４５を閉とされているため、前記遊技球Ｐａは図５に示すように規制部材４６及び保持具４３で保持状態となる。そして、前記電動式チューリップ３が開放している時間が経過したとき、電磁石４７を一時的に「ＯＮ」として規制部材４６を作動して、遊技球Ｐａを特定入賞口４５に排出する。この時、副検出器５０が遊技球Ｐａを検知し、かかる時が、所謂、特賞権利状態中である。尚、遊技球Ｐａを副検出器５０で検知しなかったときは特賞権利状態ではないことは言うまでもない。そして、他の遊技球が他の入賞器８に入って、即ち、遊技球が切欠部１０に納まって始動入賞口５に入ったとき、大入賞とされ、大入賞器１１が設定時間（例えば１０秒間）或は設定個数（例えば１０個）入賞するまで作動して遊技者に有利な状態となる。この特賞権利状態中に、遊技球が入賞口１に入り、図柄表示器２の図柄が変動し、該図柄が予め設定された図柄と一致して、電動式チューリップ３から排出された遊技球が振分装置４０の入口４１から入球した場合には、図５に示すように遊技球Ｐａは保持具４３内に留まる様に構成されている。即ち、特賞権利状態中は、規制部材４６は受入装置３からの信号では開とならないようになっているため、新たな遊技球は特定入賞口４５に入ることなく入賞口４４へ排出される。この様に、特賞権利状態中には特定入賞口４５へは排出されないため、遊技者は、従来のように入賞口１に入らない様に注意して、他の箇所を狙い撃ちをする必要がなくなる。
　そして、大入賞器１１の設定回数の開状態が終了して、特賞権利状態が終了した時点で、前記規制部材４６を電磁石４７を「ＯＮ」にして開状態とする。その為、規制部材４６に遊技球が有れば、該遊技球は、特定入賞口４５に排出されて副検出器５０で検知される。その結果、再度、特賞権利状態中となる。即ち、連続して特賞権利状態とすることが可能であり、遊技者にとって大入賞が連続して可能であり、より遊技の興趣を向上させる。
　【００１０】
　図６は他の振分装置４０を示し、特定入賞口４５に対応する規制部材４６の上部と下部に主検出器４２と副検出器５０を設置した側断面図である。４２は主検出器、４３は遊技球の保持具、５０は副検出器である。
この構成の作用について説明すると、常時は、振分装置４０の規制部材４６は電磁石４７が「ＯＦＦ」状態であるためバネ４８の弾発力によって、図６に示すように特定入賞口４５が閉状態を維持している。係る状態で、遊技球が入賞口１に入ると、図柄表示器２の図柄が変動し、該図柄が予め設定された図柄と一致した以後は、受入装置３である電動式チューリップが一定時間開状態となって、遊技球を受け入れ、かかる電動式チューリップ３から排出された遊技球Ｐは、振分装置４０の入口４１から入球する。一方、規制部材４６によって特定入賞口４５を閉とされているため、前記遊技球Ｐａは図６に示すように規制部材４６及び保持具４３で保持状態となる。そして、受入装置３が閉となった信号によって電磁石４７を一時的に「ＯＮ」として規制部材４６を開とすると、特定入賞口４５に排出される遊技球Ｐａは副検出器５０で検出される。係る副検出器５０で遊技球Ｐａが検出されたときが、所謂、特賞権利状態中である。そして、他の遊技球が他の入賞器８に入って、即ち、遊技球が切欠部１０に納まって始動入賞口５に入ったとき、大入賞とされ、大入賞器１１が設定時間（例えば１０秒間）或は設定個数（例えば１０個）入賞するまで作動する。尚、この特賞権利状態中に、遊技球が入賞口１に入り、図柄表示器２の図柄が変動し、該図柄が予め設定された図柄と一致して、電動式チューリップ３から排出された遊技球が振分装置４０の入口４１から入球した場合には、図６に示すように遊技球Ｐａは保持具４３内に留まる様に構成されている。即ち、特賞権利状態中は、規制部材４６は受入装置３からの信号では開とならないようになっているため、新たな遊技球は特定入賞口４５に入ることなく入賞口４４へ排出される。この様に、特賞権利状態中には特定入賞口４５へは排出されないため、遊技者は、従来のように入賞口１に入らない様に注意して、他の箇所を狙い撃ちをする必要がなくなる。
　そして、大入賞器１１の設定回数の開状態が終了して、特賞権利状態が終了した時点で、主検出器４２で遊技球が有るか否かを検出し、有る場合には、規制部材４６を電磁石４７を介して一時的に開とする。この遊技球は、特定入賞口４５に排出されて副検出器５０で検知される。その結果、再度、特賞権利状態中となる。即ち、連続して特賞権利状態とすることが可能であり、遊技者にとって大入賞が連続して可能であり、より遊技の興趣を向上させる。
　尚、前記の各実施例においては、特別入賞器として前記入賞口１、図柄表示器２、受入装置３で特別入賞器を構成しているが、特定の確率で入球可能な入賞器と受入装置３で構成してもよいし、単に特定の確率で入球可能な入賞器で構成してもよいし、更には、入賞口１、図柄表示器２、受入装置３を使用しなくて振分器４０の入口が特定確率で入球可能に構成してもよい。
　【００１１】
　次に、図７を参照して、図１の入賞器８の反対部に配設されている、入賞態様変更手段としての他の入賞器２０について説明する。図示略のパルスモータ等を介して正回転、逆回転可能な回転体２１には遊技球を受け入れる受部２１ａが形成されていて、左肩部には遊技球の受入切欠部２２が形成されている。一方、受部２１ａに入った遊技球は、異なった位置に設けられている排出口、即ち、上部に形成されている始動入賞口５、左下部に形成されている排出切欠部２３から排出される。
　この入賞器２０は、前記入賞器８と同様な作用をなすものであって、特賞権利状態中に始動入賞口５に遊技球が入ったとき大入賞と認定するものである。通常（非特賞権利状態）、回転体２１は一定周期（例えば１２秒）で反時計方向に回転させて受入切欠部２２から入った受部２１ａの遊技球を排出切欠部２３から排出し、始動入賞口５へは導出しない様に作動させる一方、特賞権利状態中には、時計方向に回転させて、受入切欠部２２から入った遊技球を始動入賞口５へ導出させる。即ち、通常（非特賞権利状態）は、遊技面の左部には遊技球が集まり易いため、始動入賞口５への入賞が頻繁になり、賞品球が多くなりすぎ、パチンコ店経営をしていく上での適正な出球率にならないのを防止しているが、特賞権利状態となったときには、回転体２１を時計方向に回転させ、受部２１ａに納まった遊技球は始動入賞口５に入賞させることによって、大入賞器１１を開放し、遊技者にとって不利な状態から有利な状態に変化する。
　この様に、入賞器２０の取り付ける位置によって、入賞器の構成を異にすることは有意義である。尚、この入賞器２０を従来の入賞器８の替わりに設置してもよいし、併設してもよい。
　【００１２】
　【発明の効果】
　請求項１のパチンコ機によれば、特賞権利状態において、
規制部材４６は特定入賞口４５への入賞を阻止して特賞権利状態が終了しないようにするので遊技球の狙いどころを変える必要がなく遊技ができる。又、特賞権利状態において、規制部材４６によって、１個の遊技球を載置可能であり、特賞権利状態が終了した後に、主検出器４２を介して規制部材４６を一時的に解除するか否かの動作を行うので連続して特賞権利状態が生起可能で、遊技者により興趣の向上を図ることができると共に、連続して特賞権利状態を生起させる遊技球を特定することができる。
【図面の簡単な説明】
　【図１】
　パチンコ機の正面図である。
　【図２】
　振分装置の正面図である。
　【図３】
　振分装置の図２のＡ〜Ａ側断面図である。
　【図４】
　振分装置の側断面図である。
　【図５】
　他の振分装置の側断面図である。
　【図６】
　他の振分装置の側断面図である。
　【図７】
　他の入賞器の正面図である。
　【図８】
　従来のパチンコ機の正面図である。
　【符号の説明】
　１　入賞口
　２　図柄表示器
　３　電動チューリップ（受入装置）
　５　始動入賞口
　８　入賞器
１１　大入賞器
２０　入賞器
２１　回転体
４０　振分装置
４２　主検出器
４５　特定入賞口
４６　規制部材
４７　電磁石
５０　副検出器